(57)【要約】【課題】木材の破砕作業中に、偶発的に発生してくる木材類の、供給方向と逆方向への飛び出しが、有効に防止できるようにする。【解決手段】供給樋６内に投入する被破砕材料を、破砕刃２３をフリーハンマー状とした破砕機構２により破砕する農用チョッパーにおいて、供給樋６の内側空間に、その内側空間を横切って遮断するよう板状に形成したくさび板７を、それの上端側から下縁７０までが側面視で前方下方に向け下降傾斜する斜めの姿勢として配位し、そのくさび板７の上端側を、支軸８に軸支して、それの下縁７０が供給樋６内に横倒しの姿勢で供給された木材Ｍの上面側に当接するように装設する。【選択図】        図２
2004243196.tif 000002
【特許請求の範囲】
【請求項１】
供給樋６内に投入する被破砕材料を、機枠１に装設した破砕室３内に装架せる破砕刃２３をフリーハンマー状とした破砕機構２により破砕する農用チョッパーにおいて、供給樋６の内側空間の前後の中間部位に、その内側空間を横切って遮断するよう板状に形成したくさび板７を、それの下縁７０が供給樋６の床板６１の上面に当接ないし近接して対向する状態において、それの上端側から下縁７０までが側面視で前方下方に向け下降傾斜する斜めの姿勢として配位し、そのくさび板７の上端側を、供給樋６または取付機枠Ｆに設ける支軸８に、下縁７０側がその支軸８中心に自在に昇降するよう軸支し、かつ、そのくさび板７の支軸８に軸支せる上端側から下縁７０までの長さを、供給樋６内に横倒しの姿勢で木材Ｍが供給された状態において、支軸８からその木材Ｍの上面側に当接する下縁７０までが、前方下方に向け斜めに下降傾斜する姿勢となるように設定することを特徴とする農用チョッパー。
【請求項２】
くさび板７を、左右方向において複数に分割して、その分割くさび板７ａ…が並列する形態とすることを特徴とする請求項１記載の農用チョッパー。
【請求項３】
くさび板７の後面側に、くさび板７がそれの下縁７０を供給樋６の床板６１の上面に当接ないし接近させて前方下方に向け下降傾斜した姿勢からの後方回動を阻止するストッパーＳを装設しておくことを特徴とする請求項１記載の農用チョッパー。
【発明の詳細な説明】
【０００１】
【発明が属する技術分野】
本発明は、主として、果樹等の樹木の整枝のために枝おろした枝等の木材を破砕処理するように用いられる農用のチョッパーについての改良に関する。
【０００２】
【従来の技術】
上述のチョッパーは、通常、図１にあるように、クローラにより走行する車体に装架するか、トラクタの機体に三点リンクヒッチを介して昇降自在に装架するか、または、所望の個所に設置する台枠状に形成しておくベースａ上に、機筺状に形成した機枠１を装架し、その機筺状の機枠１は、前面側の下方に開放口１ａを開設し、後面側の上部に供給口となる開放口１ｂを開設しておく。
【０００３】
この機枠１内の上部で、前方に寄る部位に、破砕機構２を収蔵せしめる破砕室３を装設し、機枠１内の上部で後方に寄る部位には、送込機構４を収蔵せしめる送込室５を装架し、この送込室５の後方で、機枠１の後面側の開放口１ｂの外面側に、被破砕物を供給するための供給樋６を、支軸６０により上下に回動するよう支架し、それの基端側を機枠１の後面側に開設してある開放口１ｂに接続して、この供給樋６から供給する被破砕物を、開放口１ｂを入口とする送込室５内に供給していくようにし、その被破砕物を送込室５に装架する送込機構４で破砕室３内に送り込み、破砕室３に装架している破砕機構２で破砕し、その破砕処理物を、破砕室３の下面側に張設しておく篩網３０で篩別して、その篩網３０下方の機枠１内の底部に落し、これを、機枠１の前面側の下部に開設してある開放口１ａを排出口として外部に排出させるようにする。
【０００４】
そして、破砕室３内に装架する破砕機構２は、破砕室３を左右に横切る主軸２０を機枠１に軸支して、これに、円盤状または角盤状に形成したホイル２１…を複数枚、主軸２０の軸方向に適宜の間隔をおいて並列支架し、これらホイル２１…の周縁部の、周方向に等配した複数の部位に、破砕刃取付用の取付軸２２…を、それぞれ主軸２０と平行させて渡架するように組み付け支架し、これら取付軸２２…のそれぞれに、多数の破砕刃２３を並列させて支架し、かつ、それぞれの破砕刃２３は、それらの各基端側を取付軸２２に対し回動自在に軸支して、ホイル２１の回転により主軸２０の遠心方向に振り出されて、被破砕物に対しフリーハンマー状に作用していくようにし、これにより、主軸２０を、それに設けた伝導輪２４を前記ベースａに組み付け支架した伝導輪ｂ側から導く回転動力により駆動することで、図１において二重線の矢印に示す方向にホイル２１を回転させ、取付軸２２に設けた破砕刃２３…が被破砕物に対しフリーハンマー状に作用して破砕していくよう構成する。
【０００５】
また、送込室５内に装設する送込機構４は、送込室５内における床板５０より少し上方部位に、左右に横切る回転軸４０を主軸２０と平行させて配位し、それの左右の両軸端部を、基端側を前記主軸２０に軸支して上下に自在に回動するようにした左右に一対の回動アーム４１の各回動端部に軸支し、その回動アーム４１の回動による回転軸４０の上下の回動範囲を、機枠１の左右の側板に設ける上下の長穴状のガイド穴１０により規制して、回動アーム４１と機枠１の左右の側板との間に張設するバネ４２により下降回動する側に付勢しておいて、この回動アーム４１・４１間に渡架軸支した回転軸４０が常態において、前述の長穴状のガイド穴１０の下端側に位置するようにする。
【０００６】
そして、この回転軸４０に、側面視において、図１にあるように放射状に突出する翼板状の送込歯４３…を設け、かつ、回転軸４０の軸端部に設けておく伝導輪４４を、主軸２０の軸端部に設けておく伝導輪４５と伝導しておき、主軸２０が駆動されて回転したときに、この回転軸４０が同時に駆動されて図１において矢印方向に回転し、供給樋６側から供給されてくる被破砕物を、バネ４２の付勢に抗して上下に回動する回動アーム４１により、その供給量に応じて、上下に動く回転軸４０の周面に設けた送込歯４３が、送込室５の床板に向け押さえ込みながら、それの回転により破砕室３側に掻き送るように構成している。
【０００７】
【発明が解決しようとする課題】
上述の如く構成されるチョッパーＡによる木材類の破砕処理の作業は、通常、枝おろした木材を、横倒しの姿勢としてそれの根元側を先にし、供給樋６内に差し込むように投入していくことで、その木材が送込機構４の送込歯４３で破砕室３内に順次送り込まれ、それを破砕機構２のフリーハンマー状に回転する破砕刃２３…がその木材の前端側から順次破砕していくことによって行われるが、この作業中、供給樋６内に投入されている木材が勢いよく後方に押し返されて、供給樋６の手前側に飛び出してくる場合がある。
【０００８】
これは、供給樋６内に投入されて送込機構４で送り込まれる被破砕材料の木材を、それの根元側から、破砕機構２のフリーハンマー状の破砕刃２３が破砕していくときに、木材の破砕刃２３が衝突していく部位の形状、および衝突していく破砕刃２３の姿勢および衝突のタイミング等の組み合わせによって、偶発的に、その衝突する破砕刃２３の衝激力が木材を押し返すように作用するようになることによるものである。
【０００９】
このときの木材を押し返すように働く力は相当なもので、通常、直径が１０センチ内外の太さのものまで供給する木材の全体が、供給樋６の突出端側に向けうち出されるようになって、供給樋６から飛び出すようになり、これが、供給樋６のかたわらに立つ作業者に打ち当たることで傷害事故を起こすようになる問題となっている。
【００１０】
本発明は、従前のチョッパーに生じているこの問題を解消せしめるためになされたものであって、木材の破砕作業中に、偶発的に発生してくる木材類の、供給方向と逆方向への飛び出しが、有効に防止できるようにする手段を提供することを目的とするものである。
【００１１】
【課題を解決するための手段】
そして、本発明においては、上述の目的を達成するための手段として、供給樋６内に投入する被破砕材料を、機枠１に装設した破砕室３内に装架せる破砕刃２３をフリーハンマー状とした破砕機構２により破砕する農用チョッパーにおいて、供給樋６の内側空間の前後の中間部位に、その内側空間を横切って遮断するよう板状に形成したくさび板７を、それの下縁７０が供給樋６の床板６１の上面に当接ないし近接して対向する状態において、それの上端側から下縁７０までが側面視で前方下方に向け下降傾斜する斜めの姿勢として配位し、そのくさび板７の上端側を、供給樋６または取付機枠Ｆに設ける支軸８に、下縁７０側がその支軸８中心に自在に昇降するよう軸支し、かつ、そのくさび板７の支軸８に軸支せる上端側から下縁７０までの長さを、供給樋６内に横倒しの姿勢で木材Ｍが供給された状態において、支軸８からその木材Ｍの上面側に当接する下縁７０までが、前方下方に向け斜めに下降傾斜する姿勢となるように設定することを特徴とする農用チョッパーを提起するものである。
【００１２】
【発明の実施の形態】
次に本発明の実施の態様を、図面および実施例について説明する。
図２は、本発明手段を実施せる農用チョッパーＢの縦断側面図、図３は同上農用チョッパーＢのＩ−Ｉ線縦断後面図で、これら図において、ａはベース、１は機筺状に形成してベースａ上に組み付け支架した機枠、３はその機枠１内の上部で前方に寄る部位に装設した破砕室、２はその破砕室３内に収蔵せしめた破砕機構、５は機枠１内の後部で後方に寄る部位に装設した送込室、４はその送込室５内に収蔵せしめた送込機構、６は機枠１の後面側に装架した供給樋で、これらは、従前の農用チョッパーＡと変わりなく構成してある。
【００１３】
また、破砕室３内に収蔵せしめて装設せる破砕機構２および送込室５内に収蔵せしめて装設する送込機構４も、従前の農用チョッパーＡの破砕室３内および送込室５内に装備せしめる破砕機構２および送込機構４と同様に構成してあり、その破砕機構２にあっては、機枠１に軸支した主軸２０と、それに並列支架した複数のホイル２１と、それらホイル２１の周縁部に周方向に等配して渡架装設した取付軸２２と、それら取付軸２２に軸方向に並列させてフリーハンマー状に軸支した破砕刃２３…と、からなり、主軸２０に設けた伝導輪２４をベースａに支架した伝導輪ｂ側から導く回転動力により駆動することで、図２において反時計回りに回転して、フリーハンマー状に振り出されて回動する破砕刃２３により、供給樋６から送り込まれてくる木材Ｍを破砕する通常の構成のものである。
【００１４】
また、送込機構４にあっては、前述の主軸２０の左右の軸端側に、基端のボス部を回動自在に軸支した左右に一対の回動アーム４１の回動端部に、回転軸４０を渡架軸支し、その回転軸４０の両軸端部を、機枠１の左右の側壁に形設しておく長穴状のガイド穴１０から外面側に突出させて、回動アーム４１の回動による回転軸４０の昇降回動する範囲を規制し、かつ、回動アーム４１と機枠１との間に下降側に回動するよう付勢するバネ４２を張設しておき、この回転軸４０の周面に放射状に突出する翼板状の送込歯４３…を設け、回転軸４０を前述の主軸２０と伝導機構（図示省略）を介して伝導しておくことで、主軸２０の回転時に、回転軸４０が駆動されて図２において反時計回りに回動して木材Ｍを送り込むように構成してある通常のものである。
【００１５】
Ｗは、上述のように構成した農用チョッパーに、供給樋６内に投入した木材Ｍが偶発的に逆流してくるのを防止するよう組み込んだ逆流防止手段を示す。
【００１６】
この逆流防止手段Ｗは、農用チョッパーＢの機枠１の後面側に装設した供給樋６内の内側空間の、前後方向となる長手方向の中間部位に、図３にあるように、その内側空間を横切って遮断するよう板状に形成したくさび板７を、供給樋６内に横倒しの姿勢で投入された木材Ｍの上面側に対し、後方上方から前方下方に向けて斜めに傾斜する姿勢となって、そのくさび板７の下縁７０が接触するように装設する。
【００１７】
そして、このくさび板７は、それの上端側を、支軸８に軸支して、下縁７０側が上下に自在に回動するようにする。
【００１８】
このくさび板７の上端側を軸支する支軸８は、図３にあるように、機枠１の後面側の上部にヒンジｃにより上下に回動するよう装設する供給樋６を取付枠に用いて、その供給樋６の上面側を囲う覆い板６０の下面に装設するか、または、図２において鎖線に示しているように、機枠１と供給樋６とで組み立てられる農用チョッパーＢの機体とは別に、ベースａに取付機枠Ｆを装設して、その取付機枠Ｆに支架するか、または図４において鎖線に示しているように、農用チョッパーＢの機体の本体となる機枠１に取付機枠Ｆを装架して、その取付機枠Ｆに装設するように、適宜の部材に支架せしめてよい。
【００１９】
このとき、支軸８から吊り下がるこのくさび板７は、その支軸８中心とする下方回動によりそれの下縁７０が供給樋６の床板６１の上面に当接するか、その下縁７０が床板６１の上面に近接した状態において、図４にあるよう前方に向け下降傾斜した姿勢となるように、それの支軸８から下縁７０までの長さを設定し、かつ、自重により、またはバネ７１により下降側に回動するよう付勢して、この姿勢となったところで、そのくさび板７に当接してくるストッパーＳを設けておき、その姿勢からの後方への回動を規制するようにする。
【００２０】
このストッパーＳは、図２および図３に示している実施例では、供給樋６の左右の側壁６２・６２の上縁に接続した覆い板６０の左右の側板部の各内面側に、供給樋６の内側空間に向けて突出する突起状に装設して、これの前面側にくさび板７の左右の両側縁が前方から当接することで、その位置よりの後方への回動を規制するようにしているが、図４において鎖線に示しているように、覆い板６０の内面で、支軸８より後方に寄る部位に、支軸８中心に後方に回動してくるくさび板７の背面に当接するよう垂設してもよく、また、ベースａまたは機枠１に取付機枠Ｆを設けてそれにくさび板７を支軸８により軸支する場合にあっては、その取付機枠Ｆに装設してもよい。
【００２１】
また、くさび板７は、図５にあるように、左右方向において複数に分割し、分割した狭い巾のくさび板７ａ…が左右に並列するようにする場合があり、この場合には、ストッパーＳは供給樋６の内側空間を左右に横切る横棒状に形成して、分割したそれぞれのくさび板７ａ…が各別に当接してくるようにする。
【００２２】
そして、このくさび板７は、供給樋６内に破砕すべき木材Ｍを投入した状態時において、図２にあるように、上端側を軸支する支軸８から所定の傾斜角度αをもって、前方下方に向けて下降して、それの下縁７０が木材Ｍの上面側に当接していくように、それの長さを設定しておく。このときの傾斜角度αは、木材Ｍに逆流方向の力が作用したときに、くさび板７の下縁７０が木材Ｍの上面側の表面に喰い込むようになって、くさび板７が支軸８と木材Ｍとの間にくさび状に作用していく状態となる角度に設定する。即ち、供給した木材Ｍにより押し上げられて支軸８中心に上向きに回動したときにこの傾斜角度αをもって、下縁７０が木材Ｍの上面側に接触していくように、支軸８から下縁７０までの長さを設定する。この傾斜角度αは略４５度程度が有効である。
【００２３】
このように構成する逆流防止手段Ｗを装備せしめた農用チョッパーＢは、被破砕材料の木材Ｍの供給がない供給樋６内が空の状態のときは、供給樋６内に設けたくさび板７は、図４にあるように、後面側がストッパーＳに当接して、前方下方に向け少し下降傾斜した姿勢に保持され、供給樋６の内側空間の前後の中間部位を遮閉した状態となる。
【００２４】
ここに、木材Ｍを供給すると、くさび板７は、木材Ｍで押されることで、殆ど抵抗のない状態で前方上方に向け支軸８中心に回動して、供給した木材Ｍの前方移動を許容し、それの下縁７０は供給される木材Ｍの上面側に軽く接触する状態となる。
【００２５】
従って、機枠１内の送込機構４および破砕機構２が正常に作動して、供給した木材Ｍが正常に送り込まれているときには、このくさび板７は、単に支軸８から吊り下がって下縁７０が木材Ｍの上面側に軽く接触しているだけで格別の作用は行わない。
【００２６】
そして、作業中に供給樋６内に投入されて破砕機構２に供給される木材Ｍが逆方向に押し返される事態が、偶発的に生じたときは、その逆方向に押し返される木材Ｍの動きにより、その木材Ｍの表面に接触していたくさび板７の下縁７０が、その木材Ｍに突き刺さるように喰い込んでいき、このくさび板７が木材Ｍと供給樋６または取付機枠Ｆとの間に打ち込まれたくさびとなって、木材Ｍの逆方向への飛び出しを阻止するように作用する。
【００２７】
【発明の効果】
以上説明したように、本発明手段による農用チョッパーは、作業中に、フリーハンマー状に作用する破砕刃２３が、供給されてくる木材Ｍに対し、それを、供給方向と逆に押し返すように作動する事態を、偶発的に生ぜしめたときに、それにより押し返される木材Ｍの動きで、くさび板７が、木材Ｍに対し打ち込まれたくさびとなるようになって、木材Ｍの逆流を阻止するようになるから、この木材Ｍの逆流による作業員の傷害事故を効果的に防止するようになる。
【図面の簡単な説明】
【図１】従前の農用チョッパーの作業状態時における縦断側面図である。
【図２】本発明手段を実施せる農用チョッパーの作業状態時における縦断側面図である。
【図３】同上の農用チョッパーの図２におけるＩ−Ｉ線縦断正面図である。
【図４】同上の農用チョッパーの縦断側面図である。
【図５】同上の農用チョッパーの別の実施例の供給樋の縦断正面図である。
【符号の説明】
Ａ・Ｂ…農用チョッパー、Ｆ…取付機枠、Ｍ…木材、Ｓ…ストッパー、Ｗ…逆流防止装置、ａ…ベース、ｂ…伝導輪、ｃ…ヒンジ、α…傾斜角度、１…機枠、１ａ・１ｂ…開放口、１０…ガイド穴、２…破砕機構、２０…主軸、２１…ホイル、２２…取付軸、２３…破砕刃、２４…伝導輪、３…破砕室、３０…篩網、４…送込機構、４０…回転軸、４１…回動アーム、４２…バネ、４３…送込歯、４４・４５…伝導輪、５…送込室、５０…床板、６…供給樋、６０…支軸、６０…天板、６０…覆い板、６１…床板、６２…側壁、７…くさび板、７ａ…分割くさび板、７０…下縁、７１…バネ、８…支軸。
【図１】
2004243196.tif 000003
【図２】
2004243196.tif 000004
【図３】
2004243196.tif 000005
【図４】
2004243196.tif 000006
【図５】
2004243196.tif 000007